(57)【要約】  【課題】  本発明は、常に迅速、かつ、確実に、しかも強固に取付け、足場板の最外側に生起する隙間を確実に閉塞することが出来る、架設足場用幅木を提供するものである。  【解決手段】仮設足場を構成する所要の横架材１２間に起立状に取付けるべく幅木本体２の両端部に各々掛止片３・４が設けられ、該両端掛止片３・４の少なくとも一方は外方に回動自在に枢着されると共に、該枢着掛止片４を外方に押圧して回動作動せしめるべく幅木本体２に押圧部材９・１６が付設されてなり、上記両端の掛止片３・４を各々対応する横架材１２に掛止せしめつつ押圧部材９・１６でもって枢着掛止片４を外方に回動せしめることにより突張り状に取付けるべく構成されている。  【選択図】        図１
2005097987.tif 000002
【特許請求の範囲】
【請求項１】
仮設足場を構成する所要の横架材間に起立状に取付けるべく幅木本体の両端部に各々掛止片が設けられ、該両端掛止片の少なくとも一方は外方に回動自在に枢着されると共に、該枢着掛止片を外方に押圧して回動作動せしめるべく幅木本体に押圧部材が付設されてなり、上記両端の掛止片を各々対応する横架材に掛止せしめつつ押圧部材でもって枢着掛止片を外方に回動せしめることにより突張り状に取付けるべく構成されてなることを特徴とする、仮設足場用幅木。
【発明の詳細な説明】
【技術分野】
【０００１】
本発明は、建築現場等に仮設足場を構築するさいに使用する仮設足場用幅木に関し、更に詳細には、仮設足場を構成する所要の横架材間に起立状に取付け、足場板の最外側に生起する隙間を確実に閉塞せしめることが出来る仮設足場用幅木に関する。
【背景技術】
【０００２】
一般に、建築現場等に所要の仮設足場を構築せしめるさいには、建材と横架材とからなる枠体や建わくなど所要の枠状体を所定間隔でもって自立状に連結せしめると共に、根がらみを取付け、隣あう枠状体間に足場板を架設せしめつつ順次上方に連結し、所要個所に階段や手摺など所要の足場部材を取付けることにより構築するものとされている。
【０００３】
ところで、上述の如く構築された仮設足場は、隣あう枠状体と最外側の架設足場板との間に隙間が必然的に生起し、かかる隙間からボルト・ナットなどの施工用部品や工具類、あるいは各種資材や用具などを誤って落下させるおそれがあり、安全性の面において問題があるものである。
【０００４】
かかる従来の問題点を解決するものとして、特開２００２−３５６９９１号公報（特許文献１）には、両端部に各々取付け板を備えた塞ぎ板付き幅木と、該幅木を枠状体に着脱自在に楔着せしめるブラケットとよりなり、上記取付け板とブラケットにはその一方に係止ピンが、他方には係止孔が各々対向状に形成されたものが開示されている。
【０００５】
そして、上述の如く構成された従来例は、枠状体を構成する建材にブラケットを着脱自在に楔着せしめると共に、該ブラケットに係合ピン・係合孔を介して幅木を係着せしめることにより取付けるものとされている。
【０００６】
また、特開２００３−６４８６７号公報（特許文献２）には、幅木本体の両端部に各々アウタ−サポ−トとインナ−サポ−トが取付けられ、該アウタ−サポ−トは足場板の外側端面に当接自在な支持面が形成されると共に、インナ−サポ−トは足場板の両端面と掛止用フックに各々当接自在な当接面が形成されたものが開示されている。
【０００７】
そして、上述の如く構成された従来例は、幅木本体を足場板の外側縁に当てがいつつ、アウタ−サポ−トの支持面を足場板の外側端面に当接せしめると共に、インナ−サポ−トの支持面を各々足場板の両端面と掛止用フック内側面に当接せしめることにより取付けるものとされている。
【特許文献１】特開２００２−３５６９９１号公報
【特許文献２】特開２００３−６４８６７号公報
【発明の開示】
【発明が解決しようとする課題】
【０００８】
ところで、上記特開２００２−３５６９９１号公報記載の幅木は、枠状体を構成する建材にブラケットを楔着して取付けるものとされているから、別個独立にブラケットが必要とされるのみならず、取付け作業が非常に面倒で手間がかかり、極めて作業能率が悪いものである。また、幅木は上述の如く、建材にブラケットを楔着して取付けるものであるから、必然的に建材と足場板との間に隙間を生起せしめるため、幅木には別途塞ぎ板を取付ける必要があるものであって、ひいては、その製作が面倒で手間がかかるのみならず、コスト高となりやすいものである。
【０００９】
また、特開２００３−６４８６７号公報記載の幅木は、アウタ−サポ−トの支持面を足場板の外側端面に当接せしめると共に、インナ−サポ−トの支持面を足場板の両端面と掛止用フック内側面に当接して取付けるものであるから、その取付け作業を極めて簡便に作業能率よく行うことが出来る反面、取付け強度の面において問題があり、必ずしも満足し得ないものである。
【００１０】
本発明は従来の問題点を解決し、常に迅速、かつ、確実に、しかも強固に取付け、足場板の最外側に生起する隙間を確実に閉塞することが出来る、架設足場用幅木を提供しようとするものである。
【課題を解決するための手段】
【００１１】
上記の目的を達成するため、本発明の請求項１記載の発明は、仮設足場を構成する所要の横架材間に起立状に取付けるべく幅木本体の両端部に各々掛止片が設けられ、該両端掛止片の少なくとも一方は外方に回動自在に枢着されると共に、該枢着掛止片を外方に押圧して回動作動せしめるべく幅木本体に押圧部材が付設されてなり、上記両端の掛止片を各々対応する横架材に掛止せしめつつ押圧部材でもって枢着掛止片を外方に回動せしめることにより突張り状に取付けるべく構成されてなることを特徴とする、仮設足場用幅木を要旨とするものである。
【発明の効果】
【００１２】
本発明は上述のように構成されているから、幅木本体両端の掛止片を各々対応する横架材に仮掛止せしめると共に、押圧部材でもって枢着掛止片を押圧して外方に回動せしめ、両端の掛止片でもって幅木本体を横架材間に突張り状に取付けることが出来るものであって、常に幅木を横架材間に迅速、かつ、確実に、しかも強固に取付け、足場板最外側に生起する隙間を確実に閉塞せしめることが出来るものである。
【発明を実施するための最良の形態】
【００１３】
以下に、本発明を実施するための最良の形態を図面に示す一実施例に基づいて説明する
。
【実施例１】
【００１４】
図１乃至図５は本発明の一実施例を示すもので、同図中、１ａは仮設足場用金属製幅木
、２は該幅木１ａを構成する所要の幅と長さを備えた横断面コ字形状の幅木本体、３は該幅木本体２の一端部に下方突出状に固着されたコ字形状の固定掛止片、４は同他端部にコ字形状取付け部材５を介して回動自在に枢着されたコ字形状可動掛止片、６は該可動掛止片４を枢着せしめる枢着ボルトで、上記固定掛止片３及び可動掛止片４の下端部には後記する横架材１２に掛止せしめるべく凹状掛止部７・８が各々外向き状に切欠き形成されている。９は上記可動掛止片４の背面に当接して押圧しつつ回動作動せしめる頭付きスクリュ−ロッドで、該スクリュ−ロッド９は取付け部材５を介して配設されたメネジ部材１０に螺動自在に螺合されている。
【００１５】
その他、１１は所要の架設足場を構成する鳥居型建わく、１２は該建わく１１を構成する横架材、１３は建わく１１を連結して所定間隔毎に自立せしめる交さ筋かい、１４は自立せしめた建わく１１の横架材１２間につかみ金具１５を介して架設せしめる足場板である。     
【００１６】
次に、上述の如く構成された幅木１ａの取付け状態を図３乃至図５に基づいて説明する
。
【００１７】
先ず、所要数の建わく１１を所定間隔毎に起立せしめつつ交さ筋かい１３により連結して自立せしめると共に、隣あう建わく１１の横架材１２間につかみ金具１５を介して足場板１４を敷設状に架設せしめつつ、順次上方に連結せしめる。そして、順次架設せしめた足場板１４の最外側縁に沿って幅木１ａを起立状に取付ける（図３参照）。
【００１８】
即ち、掛止部７・８を各々対応する建わく１１の横架材１２に当てがいつつ固定・可動掛止片３・４を各々横架材１２に仮掛止せしめたのち、スクリュ−ロッド９を所定方向に回転して螺動せしめ、可動掛止片４を押圧して外方に回動せしめつつ固定掛止片３と共に横架材１２に圧接し、幅木１ａを対応する横架材１２間に突張り状に取付ける（図４及び図５参照）。このさい、幅木本体２両端の固定・可動掛止片３・４を掛止部７・８でもって仮掛止せしめると共に、スクリュ−ロッド９の螺動作動により可動掛止片４を外方に回動作動せしめつつ固定掛止片３と共に横架材１２に圧接せしめ、幅木１ａを突張り状に取付けることが出来るものであるから、常に幅木１ａを建わく１１の横架材１２間に迅速、かつ、確実に、しかも強固に取付け、架設足場板１４の最外側に生起する隙間を確実に閉塞せしめることが出来るものである。
【００１９】
以下、順次建わく１１を上方に連結して足場板１４を架設せしめると共に、幅木１ａを上記と同様の操作でもって取付けるとよい。
【実施例２】
【００２０】
図６及び図７は本発明の他の幅木１ｂの実施例を示すもので、先部に押圧突起１７を備えたレバ−１６が幅木本体２の端部に取付け板１８を介して枢軸１９により起立状に枢着されると共に、押圧突起１７を可動掛止片４の背面に当接せしめるべく取付け部材５に所要幅の挿通孔２０が形成された点が上記実施例と相違し、他の部分は同一であり、同一符号は同一部分を示す。
【００２１】
そして、上述の如く構成された幅木１ｂは、上記実施例と同様に、掛止部７・８を各々対応する建わく１１の横架材１２に当てがいつつ固定・可動掛止片３・４を各々横架材１２に仮掛止せしめたのち、レバ−１６を所定方向に打撃して回動せしめ、押圧突起１７により可動掛止片４を外方に押圧して回動せしめつつ固定掛止片３と共に横架材１２に圧接せしめ、幅木１ｂを対応する横架材１２間に突張り状に取付けるものである（図７参照）
。
【００２２】
なお、上記実施例において、幅木本体２の一端に固定掛止片３が、同他端に可動掛止片４が各々設けられているが、これに限定されるものでなく、幅木本体２の両端部に可動掛止片４を設けてもよいものである。また、可動掛止片４を回動せしめる押圧部材としてスクリュ−ロッド９と押圧突起１７付きレバ−１６が各々示されているが、これに限定されるものでなく、これらに類した他の押圧部材を採択使用することが出来るものである。さらに、幅木１ａ・１ｂは架設足場を構成する建わく１１の横架材１２に取付けるものとされているが、これに限定されるものでなく、他の架設足場を構成する横架材にも取付けて使用に供することが出来るものである。
【図面の簡単な説明】
【００２３】
【図１】本発明の幅木１ａを示す一部を破断した斜視図である。
【図２】本発明の幅木１ａを示す平面図である。
【図３】本発明の幅木１ａの取付け状態を示す斜視図である。
【図４】本発明の幅木１ａの取付け状態を示す一部拡大側面図である。
【図５】本発明の幅木１ａの取付け状態を示す一部拡大平面図である。
【図６】本発明の他の幅木１ｂを示す一部拡大分解斜視図である。
【図７】本発明の他の幅木１ｂの取付け状態を示す一部拡大平面図である。
【符号の説明】
【００２４】
１ａ・１ｂ    幅木                
２    幅木本体
３    固定掛止片  
４    可動掛止片
６    枢着ボルト
９    スクリュ−ロッド
１０  メネジ部材
１１  建わく
１２  横架材
１４  足場板
１６  レバ−
１７  押圧突起
【図１】
2005097987.tif 000003
【図２】
2005097987.tif 000004
【図３】
2005097987.tif 000005
【図４】
2005097987.tif 000006
【図５】
2005097987.tif 000007
【図６】
2005097987.tif 000008
【図７】
2005097987.tif 000009